(57)【特許請求の範囲】
【請求項１】
電力線と通信回線との間に印加されるサージをサージ保護素子でバイパスさせる雷保護装置と、
前記雷保護装置を経由して受電及び通信を行うホームゲートウェイ装置と
を含み、
前記雷保護装置は、前記雷保護装置に前記ホームゲートウェイ装置の電力線が接続されていない場合、前記ホームゲートウェイ装置の通信回線を不通状態にしておき、前記雷保護装置に前記ホームゲートウェイ装置の電力線が接続された際に、前記ホームゲートウェイ装置の通信回線の不通状態を解除し、
前記ホームゲートウェイ装置は、前記ホームゲートウェイ装置の通信回線が前記雷保護装置と接続された際に、別途、前記雷保護装置の筐体の接近／接触を検出し、前記雷保護装置の筐体の接近／接触を検出していない場合、接続の見直しを促すための処理を行う
雷保護用接続方式。
【請求項２】
請求項１に記載の雷保護用接続方式であって、
前記雷保護装置は、
前記雷保護装置内の通信回線と前記ホームゲートウェイ装置とを接続するためのモジュラプラグと、
前記雷保護装置内の通信回線に設けられ、前記雷保護装置のＡＣコンセントに前記ホームゲートウェイ装置のＡＣプラグが接続されていない場合、オフの状態であり、前記雷保護装置内の通信回線を不通状態にするスイッチと、
前記雷保護装置のＡＣコンセントを覆うカバーであり、前記雷保護装置のＡＣコンセントに前記ホームゲートウェイ装置のＡＣプラグが接続された際に移動することで前記スイッチをオンの状態にして、前記雷保護装置内の通信回線の不通状態を解除するコンセントカバーと
を具備する
雷保護用接続方式。
【請求項３】
請求項１又は２に記載の雷保護用接続方式であって、
前記雷保護装置は、
前記ホームゲートウェイ装置のＡＣプラグが前記雷保護装置のＡＣコンセントに正しく接続された際、正しく接続された旨を前記ホームゲートウェイ装置側に認識させるために、正しい接続に付随して所定の事象の発生を行う正式接続付随事象発生部
を具備し、
前記ホームゲートウェイ装置は、
前記所定の事象の発生を検出して、前記ホームゲートウェイ装置のＡＣプラグが前記雷保護装置のＡＣコンセントに正しく接続されているか認識するための正式接続検出部
を具備する
雷保護用接続方式。
【請求項４】
請求項１乃至３のいずれか一項に記載の雷保護用接続方式で使用される雷保護装置。
【請求項５】
請求項１乃至３のいずれか一項に記載の雷保護用接続方式で使用されるホームゲートウェイ装置。
【請求項６】
電力線と通信回線との間に印加されるサージをサージ保護素子でバイパスさせる雷保護装置と、前記雷保護装置を経由して受電及び通信を行うホームゲートウェイ装置とを接続することと、
前記雷保護装置において、前記雷保護装置に前記ホームゲートウェイ装置の電力線が接続されていない場合、前記ホームゲートウェイ装置の通信回線を不通状態にしておき、前記雷保護装置に前記ホームゲートウェイ装置の電力線が接続された際に、前記ホームゲートウェイ装置の通信回線の不通状態を解除することと、
前記ホームゲートウェイ装置において、前記ホームゲートウェイ装置の通信回線が前記雷保護装置と接続された際に、別途、前記雷保護装置の筐体の接近／接触を検出し、前記雷保護装置の筐体の接近／接触を検出していない場合、接続の見直しを促すための処理を行うことと
を含む
雷保護用接続方法。
【請求項７】
請求項６に記載の雷保護用接続方法であって、
前記雷保護装置において、
前記雷保護装置内の通信回線と前記ホームゲートウェイ装置とを接続することと、
前記雷保護装置のＡＣコンセントに前記ホームゲートウェイ装置のＡＣプラグが接続されていない場合、前記雷保護装置内の通信回線に設けられたスイッチをオフの状態とし、前記雷保護装置内の通信回線を不通状態にすることと、
前記雷保護装置のＡＣコンセントに前記ホームゲートウェイ装置のＡＣプラグが接続された際に、前記雷保護装置のＡＣコンセントを覆うコンセントカバーが移動することで前記スイッチをオンの状態にして、前記雷保護装置内の通信回線の不通状態を解除することと
を更に含む
雷保護用接続方法。
【請求項８】
請求項６又は７に記載の雷保護用接続方法であって、
前記雷保護装置において、前記ホームゲートウェイ装置のＡＣプラグが前記雷保護装置のＡＣコンセントに正しく接続された際、正しく接続された旨を前記ホームゲートウェイ装置側に認識させるために、正しい接続に付随して所定の事象の発生を行うことと、
前記ホームゲートウェイ装置において、前記所定の事象の発生を検出して、前記ホームゲートウェイ装置のＡＣプラグが前記雷保護装置のＡＣコンセントに正しく接続されているか認識することと
を更に含む
雷保護用接続方法。
【請求項９】
請求項６乃至８のいずれか一項に記載の雷保護用接続方法を、雷保護装置に実行させるためのプログラム。
【請求項１０】
請求項６乃至８のいずれか一項に記載の雷保護用接続方法を、ホームゲートウェイ装置に実行させるためのプログラム。
【発明の詳細な説明】
【技術分野】
【０００１】
本発明は、雷保護用接続方式に関し、特に雷保護装置と多機能通信端末を接続するための雷保護用接続方式に関する。
【背景技術】
【０００２】
インターネットの普及に伴い、各家庭には、ＨＧＷ装置（ホームゲートウェイ装置）が設置され、ＶｏＩＰ（Ｖｏｉｃｅ  ｏｖｅｒ  Ｉｎｔｅｒｎｅｔ  Ｐｒｏｔｏｃｏｌ）電話を使用するユーザが増えてきている。
【０００３】
ＨＧＷ装置のように、ＶｏＩＰ電話に対応したアナログポートを有している装置には、電話回線側からの給電（電力の供給、送電）のみで動作する電話端末だけではなく、留守番電話やＦＡＸ（ｆａｃｓｉｍｉｌｅ）のように、通話以外の機能を有するため電力線側からの給電を要する多機能通信端末が接続されることが多くある。
【０００４】
多機能通信端末は、通話以外の機能を動作させるために、独自に電源を有している。
【０００５】
通常、多機能通信端末は雷サージ対策として、電力線に印加された雷サージは電話回線（通信回線）側に、逆に電話回線側に印加された雷サージは電力線側にバイパス（迂回）させるようになっている。
【０００６】
多機能通信端末の電話回線が公衆電話交換回線網に繋がっている場合は、これでも良かったが、ＶｏＩＰ電話端末としてＨＧＷ装置のアナログポートに接続される場合には、問題があった。
【０００７】
例えば、多機能通信端末の電源から電話回線側にバイパスされた雷サージは、ＨＧＷ装置のアナログポートに直接印加されてしまうため、ＨＧＷ製品に接続された留守番電話やＦＡＸ等の多機能通信端末の電源から電話回線を介して雷サージがＨＧＷ装置のアナログポートに印加されて、ＨＧＷ装置が破壊されてしまい、ＨＧＷ装置が故障したとして返却される事例が増えてきている。
【０００８】
現状のＨＧＷ装置も雷対策を盛り込んではいるものの、更に、大きな雷サージに対しての耐量と、雷サージを逃がすパス（通路）が必要となってきている。特に、日本ではＴＴシステムと呼ばれる電源系統の接続であり、電力線と共に保護接地導体は供給されない。なお、「ＴＴ」の第１文字は電力系統と大地との関係を示し、第１文字目の「Ｔ」は「一点を大地に直接接続する」という旨を示す。また、「ＴＴ」の第２文字は設備の露出導電性部分と大地との関係を示し、第２文字目の「Ｔ」は「電力系統の接地とは無関係に露出導電性部分を大地に直接接地する」という旨を示す。ＴＴシステムでは、機器の保護設置と電力系の保護接地は、それぞれ独立した保護接地に接続されてしまうため、完全に同電位とはならず、雷サージが流れる原因となっている。
【０００９】
更に、一般的な家庭のコンセントは２極であり、保護接地端子を持っていない場合がほとんどであるため、雷サージを保護接地に逃がすことができない。すなわち、ＨＧＷ装置のような機器は、雷サージを逃がすパスがないため、雷サージの影響を受けてしまっていた。
【００１０】
上記で説明した問題について、以下に詳細に説明する。
【００１１】
図１に、一般的な通信端末の電話回線と商用電力線との間に印加される雷サージのバイパス方式を示す。
【００１２】
商用電力線と電話回線にそれぞれ、ＳＰＤ（Ｓｕｒｇｅ  Ｐｒｏｔｅｃｔ  Ｄｅｖｉｃｅ：サージ保護素子）を配置させる。ＳＰＤは、規定以上の電圧が印加された場合にオン（ＯＮ）の状態となり、商用電力線と電話回線の間の回線をショート（短絡）の状態にする素子である。また、ＳＰＤは、通常時（印加される電圧が規定の範囲内である場合）にはオフ（ＯＦＦ）の状態となり、商用電力線と電話回線の間の回線をオープン（開放）の状態にする。ＳＰＤの例として、サイリスタ（Ｔｈｙｒｉｓｔｏｒ）、バリスタ（Ｖａｒｉｓｔｅｒ）、アレスタ（Ａｒｒｅｓｔｅｒ）等が知られている。なお、ＳＰＤは、サージアブソーバ（Ｓｕｒｇｅ  Ａｂｓｏｒｂｅｒ）でも良い。
【００１３】
ここでは、商用電力線に、ＳＰＤ１〜ＳＰＤ３を配置させる。また、電話回線に、ＳＰＤ４〜ＳＰＤ６を配置させる。また、ＳＰＤ２−ＳＰＤ３の中点と、ＳＰＤ５−ＳＤＰ６の中点とを結ぶ。
【００１４】
こうすることによって、商用電力線に雷サージが印加された場合、ＳＰＤ２、ＳＰＤ３、ＳＰＤ５、及びＳＰＤ６がオン（ＯＮ）の状態となり、雷サージを電話回線側にバイパスさせることができる。図１において、点線で示した経路が、雷サージの経路となる。
【００１５】
逆に、電話回線から雷サージが印加された場合も同様に、商用電力線側にバイパスされる。
【００１６】
すなわち、留守番電話やＦＡＸ等の多機能通信端末は、図１で示したようなＳＰＤで雷サージをバイパスさせる回路を内蔵していることになる。
【００１７】
このような通信端末が公衆電話交換回線網に直接接続されている場合は問題なかったが、ＨＧＷ装置のアナログポートに接続された場合には、このバイパスされた雷サージがＨＧＷ装置のアナログポートに直接印加されてしまうため、ＨＧＷ装置が破壊されてしまうという問題があった。
【００１８】
このような問題を回避するために、通信端末と電話回線の間に配置される外付けタイプの雷保護装置と呼ばれる装置が既に開発され、販売されている。一般的には、このような雷保護装置は、サージ対策部品で構成されたサンダーカット、雷ガード等と呼ばれる。雷保護装置の例として、避雷器、遮断器、耐雷変圧器（耐雷トランス）、スタブフィルタ、サージプロテクタ等が知られている。
【００１９】
しかしながら、このような雷保護装置を購入してまで取り付けるユーザは少なく、仮に取り付けたとしても、接続が間違っている場合には、その効果を充分に得られないという問題があった。すなわち、雷保護装置とＨＧＷ装置を正しく接続させなければならないという問題があった。
【００２０】
特許文献１−４においても、様々な雷サージに対する対策案が提案されているが、雷保護装置を確実に接続するための具体的な対策案については、これまで提案されていなかった。
【００２１】
［従来の雷保護装置とＨＧＷ装置の接続方式］
以下に、従来の雷保護装置とＨＧＷ装置の接続方式について説明する。
【００２２】
図２に示すように、従来の雷保護用接続方式（雷保護用接続システム）は、雷保護装置１０は、ＨＧＷ装置２０と、ＡＣコンセント３０と、電話機４０と、ＡＣコンセント５０を含む。
【００２３】
雷保護装置１０は、図２に示すような接続形態で、ＨＧＷ装置２０と、ＡＣコンセント３０と、電話機４０と接続される。電話機４０は、ＡＣコンセント５０と接続される。
【００２４】
雷保護装置１０は、ＡＣコンセント１１と、ＡＣプラグ１２と、モジュラコネクタ１３と、モジュラコネクタ１４を備える。
【００２５】
ＡＣコンセント１１は、ＨＧＷ装置２０と商用電力線で接続される。ＡＣプラグ１２は、ＡＣコンセント３０と商用電力線で接続される。モジュラコネクタ１３は、ＨＧＷ装置２０と電話回線で接続される。モジュラコネクタ１４は、電話機４０と電話回線で接続される。なお、モジュラコネクタ１３及びモジュラコネクタ１４は、それぞれアナログポートを有する。
【００２６】
ＡＣコンセント１１には、ＳＰＤ１〜ＳＰＤ３が接続される。モジュラコネクタ１３及びモジュラコネクタ１４には、ＳＰＤ４〜ＳＰＤ６が接続される。ここでは、モジュラコネクタ１３とモジュラコネクタ１４の間に、ＳＰＤ４〜ＳＰＤ６が配置される。また、ＳＰＤ２−ＳＰＤ３の中点と、ＳＰＤ５−ＳＤＰ６の中点とが接続される。
【００２７】
ＨＧＷ装置２０は、モジュラコネクタ２１と、ＡＣプラグ２２を備える。
【００２８】
モジュラコネクタ２１は、モジュラコネクタ１３と電話回線で接続される。なお、モジュラコネクタ２１は、アナログポートを有する。ＡＣプラグ２２は、ＡＣコンセント１１と商用電力線で接続される。
【００２９】
図示しないが、一般的には、電子回路は直流電流（ＤＣ）を利用するため、交流電流（ＡＣ）として供給される家庭用電源から給電するために、ＡＣプラグ２２と共にＡＣ−ＤＣ変換回路（ＡＣ−ＤＣ  ｃｏｎｖｅｒｔｅｒ：ＡＣ−ＤＣコンバータ）が配置される。ここでは、ＡＣ−ＤＣ変換回路は、ＡＣプラグ２２と一体化しているものとする。なお、ＡＣプラグ２２は、ＡＣアダプタでも良い。すなわち、ＡＣ−ＤＣ変換回路は、ＡＣプラグ２２と共にＡＣアダプタとしてＨＧＷ装置２０の外部に付属していても良い。
【００３０】
電話機４０は、ＡＣプラグ４１を備える。
【００３１】
ＡＣプラグ４１は、ＡＣコンセント５０と商用電力線で接続される。
【００３２】
ここで問題となるのは、図２で示したような正しい接続が行なわれないと、期待した効果を得ることができないということである。
【００３３】
例えば、ＡＣプラグ２２は、ＡＣコンセント１１に接続する必要がある。なぜなら、ＡＣプラグ２２を別のＡＣコンセント（図示しない）に接続してしまうと、仮にそのＡＣコンセントに雷サージが印加された場合に、電話回線側にバイパスすることができないため、ＨＧＷ装置が壊れてしまうからである。
【００３４】
以下に、考え得る配線状態を列挙し、どのような配線ミスが考えられるのかについて考察する。
【００３５】
（１）「電話機４０が雷保護装置１０を経由せずＨＧＷ装置２０のモジュラコネクタ２１に直接接続され、ＨＧＷ装置２０のＡＣプラグ２２が雷保護装置１０のＡＣコンセント１１以外のＡＣコンセントと接続されている状態」
【００３６】
この場合は、雷保護装置１０を全く利用しない状態であるため、雷サージに対しては確実に保護できる状態にならない。
【００３７】
（２）「電話機４０が雷保護装置１０を経由してＨＧＷ装置２０のモジュラコネクタ２１に正しく接続され、ＨＧＷ装置２０のＡＣプラグ２２が雷保護装置１０のＡＣコンセント１１に正しく接続されているが、雷保護装置１０のＡＣプラグ１２がＡＣコンセント３０に接続されていない状態」
【００３８】
この場合は、ＨＧＷ装置２０のＡＣプラグ２２が雷保護装置１０のＡＣコンセント１１に正しく接続されているが、ＡＣコンセント３０から雷保護装置１０に電力が供給されないため、雷保護装置１０からＨＧＷ装置２０に電力が供給されず、ＨＧＷ装置２０の電源が入らない（ＨＧＷ装置２０が起動しない）ので、雷サージに関しては問題ない。
【００３９】
（３）「電話機４０が雷保護装置１０を経由してＨＧＷ装置２０のモジュラコネクタ２１に正しく接続されているが、ＨＧＷ装置２０のＡＣプラグ２２が雷保護装置１０のＡＣコンセント１１以外のＡＣコンセントと接続され、雷保護装置１０のＡＣプラグ１２がＡＣコンセント３０に接続されていない状態」
【００４０】
この場合は、ＡＣコンセント３０から雷保護装置１０に電力が供給されないが、雷保護装置１０のＡＣコンセント１１以外のＡＣコンセントからＨＧＷ装置２０に電力が直接供給されるため、ＨＧＷ装置２０は動作し、電話機４０も使用できる。その一方で、ＨＧＷ装置２０のＡＣプラグ２２が雷保護装置１０のＡＣコンセント１１と正常に接続されていないため、雷サージに対しては確実に保護できる状態にならない。上述したように、仮に、ＨＧＷ装置２０のＡＣプラグ２２が接続されたＡＣコンセントに雷サージが印加された場合に、電話回線側にバイパスすることができないため、ＨＧＷ装置２０が壊れてしまう可能性があるからである。
【００４１】
（４）「電話機４０が雷保護装置１０を経由してＨＧＷ装置２０のモジュラコネクタ２１に正しく接続され、雷保護装置１０のＡＣプラグ１２がＡＣコンセント３０に正しく接続されているが、ＨＧＷ装置２０のＡＣプラグ２２が雷保護装置１０のＡＣコンセント１１以外のＡＣコンセントと接続されている状態」
【００４２】
この場合には、上記（３）の状態と同様に、雷保護装置１０のＡＣコンセント１１以外のＡＣコンセントからＨＧＷ装置２０に電力が供給されるため、ＨＧＷ装置２０、電話機４０も使用できる状態になる。その一方で、ＨＧＷ装置２０のＡＣプラグ２２が雷保護装置１０のＡＣコンセント１１と正常に接続されていないため、雷サージに対しては確実に保護できる状態にならない。
【００４３】
（５）「電話機４０が雷保護装置１０を経由してＨＧＷ装置２０のモジュラコネクタ２１に正しく接続され、雷保護装置１０のＡＣプラグ１２がＡＣコンセント３０に正しく接続され、ＨＧＷ装置２０のＡＣプラグ２２が雷保護装置１０のＡＣコンセント１１に正しく接続されている状態」
【００４４】
この場合は、正常な接続なので、問題ない。すなわち、雷サージに対して確実に保護できる状態になる。
【００４５】
以上で説明したように、雷保護装置とＨＧＷ装置は正しく接続しないと雷サージから確実に保護することができないという課題があった。
【先行技術文献】
【特許文献】
【００４６】
【特許文献１】特許第４０２０２１０号公報
【特許文献２】特許第３２５３００３号公報
【特許文献３】特開２００４−１４０６６９号公報
【特許文献４】特開２００１−３３９８４９号公報
【発明の概要】
【発明が解決しようとする課題】
【００４７】
本発明の目的は、ＨＧＷ装置（ホームゲートウェイ装置）に、雷保護装置が正しく接続されたか否かを検出できるような機能を持たせ、正しく接続されていない場合には、光や音等によるアラーム通知によりユーザに接続の不備を気付かせると共に、通信回線をオープン（開放）の状態にして、多機能通信端末による通信をできなくさせる雷保護用接続方式を提供することである。
【課題を解決するための手段】
【００４８】
本発明に係る雷保護用接続方式（雷保護用接続システム）は、電力線と通信回線との間に印加されるサージをサージ保護素子でバイパスさせる雷保護装置と、該雷保護装置を経由して受電（電力を受けること）及び通信を行うホームゲートウェイ装置とを含む。該雷保護装置は、該雷保護装置に該ホームゲートウェイ装置の電力線が接続されていない場合、該ホームゲートウェイ装置の通信回線を不通状態にしておき、該雷保護装置に該ホームゲートウェイ装置の電力線が接続された際に、該ホームゲートウェイ装置の通信回線の不通状態を解除する。該ホームゲートウェイ装置は、該ホームゲートウェイ装置の通信回線が該雷保護装置と接続された際に、別途（当該接続とは別に／当該接続に付随して）、該雷保護装置の筐体の接近／接触を検出し、該雷保護装置の筐体の接近／接触を検出していない場合、接続の見直しを促すための処理（警告の通知等）を行う。
【００４９】
本発明に係る雷保護用接続方法では、電力線と通信回線との間に印加されるサージをサージ保護素子でバイパスさせる雷保護装置と、該雷保護装置を経由して受電及び通信を行うホームゲートウェイ装置とを接続する。また、該雷保護装置において、該雷保護装置に該ホームゲートウェイ装置の電力線が接続されていない場合、該ホームゲートウェイ装置の通信回線を不通状態にしておき、該雷保護装置に該ホームゲートウェイ装置の電力線が接続された際に、該ホームゲートウェイ装置の通信回線の不通状態を解除する。また、該ホームゲートウェイ装置において、該ホームゲートウェイ装置の通信回線が該雷保護装置と接続された際に、別途、該雷保護装置の筐体の接近／接触を検出し、該雷保護装置の筐体の接近／接触を検出していない場合、接続の見直しを促すための処理を行う。
【００５０】
本発明に係るプログラムは、上記の雷保護用接続方法における処理を、雷保護装置又はホームゲートウェイ装置に実行させるためのプログラムである。すなわち、本発明に係る雷保護用接続方法は、ファームウェア（Ｆｉｒｍｗａｒｅ）等によるソフトウェア制御で実現しても良い。なお、本発明に係るプログラムは、記憶装置や記憶媒体に格納することが可能である。
【発明の効果】
【００５１】
ユーザの接続不備によってＨＧＷ装置（ホームゲートウェイ装置）が雷サージを受けて破壊されるような不具合の回避が見込まれる。
【図面の簡単な説明】
【００５２】
【図１】一般的な通信端末の電話回線と商用電力線との間に印加される雷サージのバイパス方式の例を示す概念図である。
【図２】従来の雷保護用接続方式（雷保護用接続システム）の例を示す概念図である。
【図３】本発明の第１実施形態に係る雷保護用接続方式の例を示す概念図である。
【図４】本発明の第１実施形態に係る雷保護装置の外観のイメージ図である。
【図５】雷保護装置のＡＣコンセントにＨＧＷ装置のＡＣプラグが挿されていないときのスライドカバー及びスイッチ（ＳＷ：Ｓｗｉｔｃｈ）の状態を示す概念図である。
【図６】雷保護装置のＡＣコンセントにＨＧＷ装置のＡＣプラグが挿されたときのスライドカバー及びスイッチ（ＳＷ）の状態を示す概念図である。
【図７】本発明の第２実施形態に係る雷保護用接続方式の例を示す概念図である。
【図８】本発明の第３実施形態に係る雷保護用接続方式の例を示す概念図である。
【図９】本発明の第４実施形態において、ＨＧＷ装置のモジュラコネクタに雷保護装置のモジュラプラグが挿されていないときのスライドカバー及びスイッチ（ＳＷ）の状態を示す概念図である。
【図１０】本発明の第４実施形態において、ＨＧＷ装置のモジュラコネクタに雷保護装置のモジュラプラグが挿されたときのスライドカバー及びスイッチ（ＳＷ）の状態を示す概念図である。
【図１１】本発明の第５実施形態に係る雷保護用接続方式の例を示す概念図である。
【発明を実施するための形態】
【００５３】
＜第１実施形態＞
以下に、本発明の第１実施形態について添付図面を参照して説明する。
【００５４】
［システム構成例］
図３に示すように、本発明の第１実施形態に係る雷保護用接続方式（雷保護用接続システム）は、雷保護装置１０と、ＨＧＷ装置（ホームゲートウェイ装置）２０を含む。
【００５５】
雷保護装置１０は、図３に示すような接続形態で、ＨＧＷ装置２０と接続される。
【００５６】
［雷保護装置の構成例］
雷保護装置１０は、ＡＣコンセント１１と、ＡＣプラグ１２と、モジュラコネクタ１４と、スイッチ（ＳＷ：Ｓｗｉｔｃｈ）１５と、モジュラプラグ１６と、突起１７を備える。
【００５７】
ＡＣコンセント１１は、ＨＧＷ装置２０用の電源端子である。ＡＣコンセント１１は、ＨＧＷ装置２０と商用電力線で接続される。ＡＣコンセント１１は、この商用電力線を介して、ＨＧＷ装置２０に交流電流（ＡＣ）を給電する。
【００５８】
ＡＣプラグ１２は、雷保護装置１０用のＡＣプラグである。ＡＣプラグ１２は、外部のＡＣコンセントと商用電力線で接続される。ＡＣプラグ１２は、この商用電力線を介して、この外部のＡＣコンセントから交流電流（ＡＣ）を受電し（電力の供給を受けて）、ＡＣコンセント１１に交流電流（ＡＣ）を配電する。
【００５９】
モジュラコネクタ１４は、多機能通信端末を接続するためのモジュラコネクタである。モジュラコネクタ１４は、複数でも良い。なお、モジュラコネクタは一例に過ぎない。実際には、ＬＡＮ（Ｌｏｃａｌ  Ａｒｅａ  Ｎｅｔｗｏｒｋ）コネクタやＵＳＢ（Ｕｎｉｖｅｒｓａｌ  Ｓｅｒｉａｌ  Ｂｕｓ）コネクタ等、他の規格のコネクタでも良い。
【００６０】
スイッチ（ＳＷ）１５は、通信回線をオープン（開放）／ショート（短絡）の状態にするためのスイッチである。ここでは、スイッチ（ＳＷ）１５は、モジュラコネクタ１４とモジュラプラグ１６の間に配置される。
【００６１】
モジュラプラグ１６は、ＨＧＷ装置２０のモジュラコネクタのアナログポートと接続するためのモジュラプラグである。なお、モジュラプラグは一例に過ぎない。実際には、ＬＡＮプラグやＵＳＢプラグ等、他の規格のプラグでも良い。
【００６２】
突起１７は、ＨＧＷ装置２０にあるスイッチ（ＳＷ）を物理的に押下し、オン（ＯＮ）の状態にする。突起１７の形状については問わない。突起１７は可動式でも良い。なお、実際には、突起１７は、ＨＧＷ装置２０にあるスイッチ（ＳＷ）に相当する回路を電気的に通電させるものでも良い。また、突起１７は、雷保護装置１０とＨＧＷ装置２０とを接合／嵌合させるものでも良い。すなわち、突起１７は、雷保護装置１０とＨＧＷ装置２０との物理的な接近／接触に応じて、ＨＧＷ装置２０にあるスイッチ（ＳＷ）をオン（ＯＮ）の状態にするものであれば良い。
【００６３】
モジュラコネクタ１４、ＡＣコンセント１１、及びモジュラプラグ１６の間には、雷サージをバイパスさせるためのＳＰＤ回路（ＳＰＤで形成された回路）が設けられている。なお、ＳＰＤは、サージアブソーバ（Ｓｕｒｇｅ  Ａｂｓｏｒｂｅｒ）でも良い。
【００６４】
ＡＣコンセント１１には、ＳＰＤ１〜ＳＰＤ３が接続される。モジュラコネクタ１４及びモジュラプラグ１６には、ＳＰＤ４〜ＳＰＤ６が接続される。ここでは、スイッチ（ＳＷ）１５とモジュラプラグ１６の間に、ＳＰＤ４〜ＳＰＤ６が配置される。また、ＳＰＤ２−ＳＰＤ３の中点と、ＳＰＤ５−ＳＤＰ６の中点とが接続される。なお、実際には、モジュラコネクタ１４とスイッチ（ＳＷ）１５の間に、ＳＰＤ４〜ＳＰＤ６が配置されていても良い。
【００６５】
図４に、雷保護装置１０の外観イメージを示す。
【００６６】
［モジュラプラグ１６及び突起１７の補足］
必須ではないが、モジュラプラグ１６がＨＧＷ装置２０のモジュラコネクタのアナログポートと接続すると同時に、突起１７がＨＧＷ装置２０にあるスイッチ（ＳＷ）をオン（ＯＮ）の状態にするように構成することも可能である。例えば、モジュラプラグ１６と突起１７を一体化するか、モジュラプラグ１６と突起１７が連動する形状にしても良い。モジュラプラグ１６自体に突起１７をつけるといったことも可能である。
【００６７】
これにより、モジュラプラグ１６と突起１７が同時に伸縮する構成にすることが可能となり、モジュラプラグ１６と突起１７を雷保護装置１０の本体から延伸することが可能となる。
【００６８】
また、モジュラプラグ１６と突起１７の組（セット）を複数用意することが可能となり、雷保護装置１０が、複数のＨＧＷ装置２０と接続可能となる。この場合、モジュラプラグ１６と突起１７の組は、一組につき１台のＨＧＷ装置２０と接続するものとする。
【００６９】
すなわち、雷保護装置に接続されるＨＧＷ装置の台数は、１台とは限らず、複数でも良い。この場合、雷保護装置１０の内部には、複数のＨＧＷ装置２０の各々に対して（接続されるＨＧＷ装置２０毎に）、ＡＣコンセント１１、ＡＣプラグ１２、モジュラコネクタ１４、スイッチ（ＳＷ）１５、モジュラプラグ１６、及び突起１７の組が配置されるものとする。
【００７０】
［ＨＧＷ装置の構成例］
ＨＧＷ装置２０は、モジュラコネクタ２１と、ＡＣプラグ２２と、スイッチ（ＳＷ）２３と、ＣＰＵ（Ｃｅｎｔｒａｌ  Ｐｒｏｃｅｓｓｉｎｇ  Ｕｎｉｔ）２４と、アラームランプ２５と、スピーカー２６と、ネットワークアダプタ２７を備える。
【００７１】
モジュラコネクタ２１は、雷保護装置１０のモジュラプラグ１６を接続するためのアナログポートを有する。なお、モジュラコネクタは一例に過ぎない。実際には、ＬＡＮコネクタやＵＳＢコネクタ等、他の規格のコネクタでも良い。但し、モジュラコネクタ２１は、必ずモジュラプラグ１６と対になるものとする。すなわち、モジュラコネクタ２１のアナログポートの形状は、モジュラプラグ１６と接合可能であるものとする。
【００７２】
ＡＣプラグ２２は、ＨＧＷ装置２０の電源装置のＡＣプラグである。ＡＣプラグ２２は、雷保護装置１０のＡＣコンセント１１と商用電力線で接続される。ＡＣプラグ２２は、この商用電力線を介して、ＡＣコンセント１１から交流電流（ＡＣ）を受電する。
【００７３】
図示しないが、一般的には、ＨＧＷ装置２０の内部の電子回路が直流電流（ＤＣ）を利用するため、交流電流（ＡＣ）として供給される家庭用電源から給電するために、ＡＣプラグ２２と共にＡＣ−ＤＣ変換回路（ＡＣ−ＤＣ  ｃｏｎｖｅｒｔｅｒ：ＡＣ−ＤＣコンバータ）が配置される。ここでは、ＡＣ−ＤＣ変換回路は、ＡＣプラグ２２と一体化しているものとする。なお、ＡＣプラグ２２は、ＡＣアダプタでも良い。すなわち、ＡＣ−ＤＣ変換回路は、ＡＣプラグ２２と共にＡＣアダプタとしてＨＧＷ装置２０の外部に付属していても良い。
【００７４】
スイッチ（ＳＷ）２３は、雷保護装置１０が接続された場合に突起１７によりオン（ＯＮ）の状態になる。ここでは、スイッチ（ＳＷ）２３は、突起１７によりオン（ＯＮ）の状態になった際に、接地（ＧＮＤ）される。なお、接地（ＧＮＤ）は一例に過ぎない。実際には、スイッチ（ＳＷ）２３は、突起１７によりオン（ＯＮ）の状態になった際に、電源端子（ＶＤＤ）等に接続されても良い。これにより、スイッチ（ＳＷ）２３は、雷保護装置１０の接続に応じて電位の状態が変化する検出信号２３１を出力する。
【００７５】
ＣＰＵ２４は、ケーブル及び基板等を介して、記憶装置や電源装置等、ＨＧＷ装置２０の他の内部構成に接続されている。ＣＰＵ２４は、突起１７によりスイッチ（ＳＷ）２３がオン（ＯＮ）の状態になった際に、スイッチ（ＳＷ）２３からの検出信号２３１の検出を行う。
【００７６】
アラームランプ２５は、発光（点灯、点滅等）により、ユーザにアラーム（警告）を通知し、注意喚起する。
【００７７】
スピーカー２６は、音声出力（音声ガイダンス、ビープ音等）により、ユーザにアラーム（警告）を通知し、注意喚起する。
【００７８】
ネットワークアダプタ２７は、公衆回線網を経由して、基地局（ｂａｓｅ  ｓｔａｔｉｏｎ）又はサーバに、当該ＨＧＷ装置２０における雷保護装置１０の接続状態を通知する。ネットワークアダプタ２７の例として、ＮＩＣ（Ｎｅｔｗｏｒｋ  Ｉｎｔｅｒｆａｃｅ  Ｃａｒｄ）や同様の拡張カード、又は携帯電話やＰＨＳの通信規格に準拠した無線通信機器等が考えられる。
【００７９】
［ネットワークアダプタの補足］
必須ではないが、ネットワークアダプタ２７は、雷保護装置１０とは別の雷保護装置を経由して公衆回線網に接続されていると好適である。また、ネットワークアダプタ２７は、モジュラコネクタ２１とは別のモジュラコネクタでも良い。なお、ネットワークアダプタ２７は、モジュラコネクタ２１と共通でも良いが、この場合は、雷保護装置１０とＨＧＷ装置２０が正しく接続されたときにのみ、基地局又はサーバに、雷保護装置１０の接続状態を通知することになる。
【００８０】
［ＨＧＷ装置の補足］
必須ではないが、ＨＧＷ装置２０のＡＣプラグ２２が雷保護装置１０のＡＣコンセント１１と接続すると同時に、雷保護装置１０の突起１７がＨＧＷ装置２０のスイッチ（ＳＷ）２３をオン（ＯＮ）の状態にするように構成することも可能である。例えば、ＨＧＷ装置２０のＡＣプラグ２２を雷保護装置１０のＡＣコンセント１１に接続すると、雷保護装置１０の突起１７がＨＧＷ装置２０のスイッチ（ＳＷ）２３を押し込むように配置／構成しても良い。
【００８１】
［代替例］
ＨＧＷ装置２０の代替例として、モデム（ＭＯＤＥＭ：ＭＯｄｕｌａｔｏｒ−ＤＥＭｏｄｕｌａｔｏｒ）、ＡＤＳＬモデム（ＡＤＳＬ  ｍｏｄｅｍ）、アクセスポイント（ａｃｃｅｓｓ  ｐｏｉｎｔ）、ネットワークスイッチ（ｎｅｔｗｏｒｋ  ｓｗｉｔｃｈ）、ルータ（ｒｏｕｔｅｒ）、プロキシ（ｐｒｏｘｙ）、ゲートウェイ（ｇａｔｅｗａｙ）、ファイアウォール（ｆｉｒｅｗａｌｌ）、ロードバランサ（ｌｏａｄ  ｂａｌａｎｃｅｒ：負荷分散装置）、帯域制御装置／セキュリティ監視制御装置（ｇａｔｅｋｅｅｐｅｒ）、ＰＣ（パソコン）、アプライアンス（ａｐｐｌｉａｎｃｅ）、プリントサーバ、デジタルチューナー、デジタルレコーダー、情報家電（ｉｎｆｏｒｍａｔｉｏｎ  ｈｏｍｅ  ａｐｐｌｉａｎｃｅ）、ＯＡ（Ｏｆｆｉｃｅ  Ａｕｔｏｍａｔｉｏｎ）機器等が考えられる。
【００８２】
ＣＰＵ２４の代替例として、ネットワークプロセッサ（ＮＰ：Ｎｅｔｗｏｒｋ  Ｐｒｏｃｅｓｓｏｒ）、マイクロプロセッサ（ｍｉｃｒｏｐｒｏｃｅｓｓｏｒ）、マイクロコントローラ、或いは、専用の機能を有する半導体集積回路（ＩＣ：Ｉｎｔｅｇｒａｔｅｄ  Ｃｉｒｃｕｉｔ）等が考えられる。すなわち、ＣＰＵ２４は、何らかの処理装置であれば良い。
【００８３】
アラームランプ２５、スピーカー２６、及びネットワークアダプタ２７の代替例として、ＬＣＤ（液晶ディスプレイ）やＰＤＰ（プラズマディスプレイ）、有機ＥＬディスプレイ（ｏｒｇａｎｉｃ  ｅｌｅｃｔｒｏｌｕｍｉｎｅｓｃｅｎｃｅ  ｄｉｓｐｌａｙ）等の表示装置、出力内容を用紙等に印刷するプリンタ等の印刷装置、出力内容を壁やスクリーンに投影するプロジェクタ等の映写装置、或いは、外部の表示装置や記憶装置等に情報を出力するためのインターフェース（Ｉ／Ｆ：ｉｎｔｅｒｆａｃｅ）等を使用する例も考えられる。すなわち、アラームランプ２５、スピーカー２６、及びネットワークアダプタ２７は、何らかの出力装置であれば良い。
【００８４】
但し、実際には、これらの例に限定されない。
【００８５】
［ＨＧＷ装置による雷保護装置との接続の検出］
まず、ＨＧＷ装置が雷保護装置と接続されたか否かを検出する状況について説明する。
【００８６】
ＨＧＷ装置２０と雷保護装置１０を接続するために、モジュラプラグ１６をモジュラコネクタ２１に接続する。
【００８７】
このとき、モジュラプラグ１６とモジュラコネクタ２１との接続に伴って、雷保護装置１０の突起１７が、ＨＧＷ装置２０のスイッチ（ＳＷ）２３を押し込んで（押下して）、オン（ＯＮ）の状態にする。ＨＧＷ装置２０のスイッチ（ＳＷ）２３は、オン（ＯＮ）の状態となった場合、スイッチ（ＳＷ）２３からＣＰＵ２４に入力される検出信号２３１を変化させる。例えば、通常時にはハイレベル（Ｈｉｇｈ）にある検出信号２３１が、スイッチ（ＳＷ）２３をオン（ＯＮ）の状態にすることにより、ロウレベル（Ｌｏｗ）に変化したとする。
【００８８】
ＣＰＵ２４は、検出信号２３１の変化を検出して、スイッチ（ＳＷ）２３がオン（ＯＮ）の状態であるかオフ（ＯＦＦ）の状態であるか判断し、雷保護装置１０が接続されたか否か判断する。例えば、ＣＰＵ２４は、検出信号２３１の電位がハイレベル（Ｈｉｇｈ）であれば、スイッチ（ＳＷ）２３がオフ（ＯＦＦ）の状態で、雷保護装置１０が接続されていないと判断する。反対に、検出信号２３１の電位がロウレベル（Ｌｏｗ）であれば、スイッチ（ＳＷ）２３がオン（ＯＮ）の状態で、雷保護装置１０が接続されていると判断する。
【００８９】
無論、ハイレベル（Ｈｉｇｈ）とロウレベル（Ｌｏｗ）は、逆にしても良い。
【００９０】
ＣＰＵ２４は、検出信号２３１により、スイッチ（ＳＷ）２３がオフ（ＯＦＦ）の状態で、雷保護装置１０が接続されていないと判断すると、常時／定期的に／一定時間、アラームランプ２５の点灯、点滅や、スピーカー２６による音声ガイダンス、ビープ音等により、ユーザに雷保護装置１０が接続されていない旨の警告を通知する。
【００９１】
更に、ＣＰＵ２４は、ネットワークアダプタ２７を利用し、公衆回線網を経由して、基地局又はサーバに、雷保護装置１０の接続状態を通知するようにしても良い。
【００９２】
［ＣＰＵの補足］
必須ではないが、ＣＰＵ２４は、検出信号２３１により、スイッチ（ＳＷ）２３がオフ（ＯＦＦ）の状態で、雷保護装置１０が接続されていないと判断した場合、ＨＧＷ装置２０を停止させるか、スタンバイ／休止の状態にしても良い。このとき、ＣＰＵ２４は、検出信号２３１により、スイッチ（ＳＷ）２３がオン（ＯＮ）の状態で、雷保護装置１０が接続されていると判断すると、ＨＧＷ装置２０を起動するか、スタンバイ／休止から回復させる。
【００９３】
或いは、ＣＰＵ２４は、検出信号２３１により、スイッチ（ＳＷ）２３がオン（ＯＮ）の状態で、雷保護装置１０が接続されていると判断した際に、ＡＣプラグ２２の電力線をショート（短絡）の状態にし、ＨＧＷ装置２０の内部への給電を開始する。
【００９４】
［スイッチ（ＳＷ）１５のオン（ＯＮ）／オフ（ＯＦＦ）の切り替え］
次に、雷保護装置とＨＧＷ装置との間の電力線が正しく接続されていない場合には、通信回線をオープン（開放）の状態とし、雷保護装置とＨＧＷ装置との間の電力線が正しく接続された場合には、通信回線をショート（短絡）の状態にする状況について説明する。
【００９５】
ここでは、図５、及び図６を用いて、ＡＣコンセント１１とスイッチ（ＳＷ）１５との関係について説明する。
【００９６】
［スイッチ（ＳＷ）１５がオフ（ＯＦＦ）の状態］
図５に、ＡＣコンセント１１にＡＣプラグ２２が挿されていない通常の状態を示す。
【００９７】
図５の上段に示した図がＡＣコンセント１１の外観のイメージ図であり、図５の下段に示した図がＡＣコンセント１１の断面のイメージ図である。
【００９８】
通常時には、ＡＣコンセント１１は、スライドカバー１１１の下に隠れた状態となる。スライドカバー１１１は、ＡＣコンセント１１の２極（２つの電極）を覆うカバー（コンセントカバー）である。
【００９９】
スライドカバー１１１には、スイッチ（ＳＷ）１５を押し込み（押下し）、スイッチ（ＳＷ）１５をオン（ＯＮ）の状態にするための突起１１２が設けられている。通常時には、突起１１２はスイッチ（ＳＷ）１５に届いていないため、スイッチ（ＳＷ）１５はオフ（ＯＦＦ）の状態である。
【０１００】
［スイッチ（ＳＷ）１５がオン（ＯＮ）の状態］
図６に、ＡＣコンセント１１にＡＣプラグ２２が挿入されたときの状態を示す。
【０１０１】
図６も、図５と同様に、図６の上段に示した図がＡＣコンセント１１の外観のイメージ図であり、図６の下段に示した図がＡＣコンセント１１の断面のイメージ図である。
【０１０２】
まず、ＡＣプラグ２２を挿入するために、スライドカバー１１１に開けられた２極用の穴に、ＡＣプラグ２２を軽く差し込む。具体的には、ＡＣプラグ２２を、２極用の穴の深さを超えない程度（雷保護装置１０の本体に接触しない程度）に差し込む。
【０１０３】
スライドカバー１１１に開けられた２極用の穴に、ＡＣプラグ２２を軽く差し込んだ状態のまま、ＡＣプラグ２２とスライドカバー１１１をスライドさせると、スライドカバー１１１に開けられた２極用の穴とＡＣコンセント１１の２極との位置が一致するため、ＡＣコンセント１１にＡＣプラグ２２を挿すことができるようになる。
【０１０４】
このとき、スライドカバー１１１と連動して突起１１２もスライドし、スイッチ（ＳＷ）１５を押し込むため、スイッチ（ＳＷ）１５はオン（ＯＮ）の状態となる。
【０１０５】
このように、スライドカバー１１１と連動してスイッチ（ＳＷ）１５をオン（ＯＮ）／オフ（ＯＦＦ）の状態にする機能で構成することにより、ＡＣコンセント１１にＡＣプラグが接続されていない状態では、通信回線はオープン（開放）の状態となる。
【０１０６】
なお、実際には、スライドカバー１１１を手動でスライドさせてスイッチ（ＳＷ）１５をオン（ＯＮ）の状態にし、スライドカバー１１１に開けられた２極用の穴とＡＣコンセント１１の２極との位置が一致した段階で、スライドカバー１１１に開けられた２極用の穴に、ＡＣプラグ２２を深く差し込んで、ＡＣコンセント１１の２極にＡＣプラグ２２を挿入し、ＡＣプラグ２２によりスライドカバー１１１の位置を固定するようにしても良い。
【０１０７】
［スライドカバーの補足］
必須ではないが、通常時には、突起１７を雷保護装置１０の筐体内部に格納しておき、スライドカバー１１１と連動して突起１１２がスライドする際、突起１７もスライドカバー１１１と連動してスライドして雷保護装置１０の筐体の外側に露出するようにしても良い。
【０１０８】
また、スライドカバー１１１に開けられた２極用の穴から、ＡＣプラグ２２を抜いた場合、バネ等の弾性部材や小型モータ等の動力機構により、スライドカバー１１１が自動的にスライドし、元の位置（図５に示す状態）に戻るようにしても良い。
【０１０９】
また、図５、図６では、スライドカバー１１１のスライドによってスイッチ（ＳＷ）１５を押し込む仕組みについて説明したが、実際には、スライドに限らず、スライドカバー１１１の移動／動作によってスイッチ（ＳＷ）１５をオン（ＯＮ）／オフ（ＯＦＦ）の状態にする構造であれば、どのような仕組みを使用しても良い。
【０１１０】
例えば、スライドカバー１１１を回転させることで、ＡＣプラグ２２が挿入できるようなると同時にスイッチ（ＳＷ）１５をオン（ＯＮ）の状態にする方式や、スライドカバー１１１を取り外すことで、スイッチ（ＳＷ）１５をオン（ＯＮ）の状態にする方式、スライドカバー１１１が変形することで、スイッチ（ＳＷ）１５をオン（ＯＮ）の状態にする方式等も考えられる。
【０１１１】
更に、スイッチ（ＳＷ）１５は、通信回線がオープン（開放）／ショート（短絡）の状態となる機能であれば、押し込みタイプのスイッチでなくても良い。
【０１１２】
例えば、スイッチ（ＳＷ）１５は、スライドカバー１１１のスライドによって導体が接触するようなタイプのスイッチでも良い。
【０１１３】
また、スイッチ（ＳＷ）１５は、機械スイッチだけではなく、アナログスイッチＩＣを制御するような論理回路でも良い。
【０１１４】
また、スイッチ（ＳＷ）１５は、スライドカバー１１１の移動／動作を検出した際にオン（ＯＮ）の状態となるようなタイプのスイッチでも良い。例えば、スイッチ（ＳＷ）１５は、スライドカバー１１１の移動／動作を検出するセンサ等から、スライドカバー１１１の移動／動作を示す信号を受信した際に、オン（ＯＮ）の状態となるようなタイプのスイッチでも良い。
【０１１５】
［配線状態］
以上で説明した機能を基に、背景技術において説明した配線状態（１）〜（５）の各状態での動作について説明する。
【０１１６】
まず、（１）の状態として、ＨＧＷ装置２０に雷保護装置１０が接続されていない状態での動作について説明する。
【０１１７】
まず、ＣＰＵ２４は、検出信号２３１により、スイッチ（ＳＷ）２３がオフ（ＯＦＦ）の状態で、雷保護装置１０が接続されていないと判断すると、常時／定期的に／一定時間、アラームランプ２５の点灯、点滅や、スピーカー２６による音声ガイダンス、ビープ音等により、ユーザに雷保護装置１０が接続されていない旨の警告を通知する。
【０１１８】
更に、ＣＰＵ２４は、ネットワークアダプタ２７を利用し、公衆回線網を経由して、基地局又はサーバに、雷保護装置１０の接続状態を通知することも可能である。
【０１１９】
次に、（２）（３）の状態として、雷保護装置１０はＨＧＷ装置２０に正しく接続されているが、雷保護装置１０のＡＣプラグ１２がＡＣコンセントに接続されていない状態での動作について説明する。
【０１２０】
ここでは、正しく接続された状態とは、モジュラプラグ１６がモジュラコネクタ２１に接続されるのと同時に、突起１７によりスイッチ（ＳＷ）２３が押し込まれてオン（ＯＮ）した状態を指す。
【０１２１】
（２）の状態では、仮にＡＣプラグ２２がＡＣコンセント１１に正しく接続されていても、ＡＣプラグ１２がＡＣコンセントに接続されていないため、ＨＧＷ装置２０に電源が供給されず動作（起動）しない。そのため、ユーザは接続に問題があると気が付くことができる。
【０１２２】
（３）の状態では、ＡＣプラグ２２が別のＡＣコンセントに接続されており、ＨＧＷ装置２０は電源供給を受けることができるので、動作を開始することはできる。しかし、ＨＧＷ装置２０のＡＣプラグ２２が雷保護装置１０のＡＣコンセント１１に接続されていないため、ＡＣコンセント１１のスライドカバー１１１と連動する突起１１２がスライドせず、スイッチ（ＳＷ）１５を押し込まないため、スイッチ（ＳＷ）１５はオン（ＯＮ）の状態にならず、オフ（ＯＦＦ）の状態のままである。すなわち、ＡＣコンセント１１にＡＣプラグ２２が接続されていない状態では、通信回線はオープン（開放）となり、不通状態となる。よって、ユーザは接続に問題があることに気が付くことができる。
【０１２３】
最後に、（４）（５）の状態として、雷保護装置１０はＨＧＷ装置２０に正しく接続されていて、ＡＣプラグ１２もＡＣコンセントに接続されている状態での動作について説明する。
【０１２４】
（４）の状態では、（３）の状態と同様に、ＡＣプラグ２２が別のＡＣコンセントに接続されており、ＨＧＷ装置２０は電源供給を受けることができるので、動作を開始することはできる。しかし、ＨＧＷ装置２０のＡＣプラグ２２が雷保護装置１０のＡＣコンセント１１に接続されていないため、ＡＣコンセント１１のスライドカバー１１１と連動する突起１１２がスライドせず、スイッチ（ＳＷ）１５を押し込まないため、スイッチ（ＳＷ）１５はオン（ＯＮ）の状態にならず、オフ（ＯＦＦ）の状態のままである。すなわち、ＡＣコンセント１１にＡＣプラグ２２が接続されていない状態では、通信回線はオープン（開放）となり、不通状態となる。よって、ユーザは接続に問題があることに気が付くことができる。
【０１２５】
（５）の状態では、正しい接続であるため、問題はない。スイッチ（ＳＷ）１５はオン（ＯＮ）となり、多機能通信端末による通信も可能となる。
【０１２６】
［本実施形態による効果］
本実施形態では、雷保護装置とＨＧＷ装置のアナログポートが間違いなく接続されるため、ユーザの接続不備によってＨＧＷ装置が雷サージを受けて破壊されるような不具合の回避が見込まれる。
【０１２７】
また、基地局側で接続状態を監視することができ、顧客サービスの向上に寄与する。
【０１２８】
＜第２実施形態＞
以下に、本発明の第２実施形態について説明する。
【０１２９】
本発明の第１実施形態では、図３に示すように、ＨＧＷ装置２０が、雷保護装置１０の突起１７とＨＧＷ装置２０のスイッチ（ＳＷ）２３を使用して、雷保護装置１０の接続状態を検出しているが、その代わりとなる専用のインターフェースを用意することも可能である。
【０１３０】
本発明の第２実施形態では、雷保護装置１０の接続状態を突起１７とＨＧＷ装置２０のスイッチ（ＳＷ）２３の代わりに、図７に示すように、雷保護装置１０の信号用プラグ１８をＨＧＷ装置２０の信号用コネクタ２８に接続した際に、雷保護装置１０の接続状態を検出するようにする。
【０１３１】
［システム構成例］
図７に示すように、本発明の第２実施形態に係る雷保護用接続方式は、雷保護装置１０と、ＨＧＷ装置２０を含む。
【０１３２】
雷保護装置１０は、図７に示すような接続形態で、ＨＧＷ装置２０と接続される。
【０１３３】
［雷保護装置の構成例］
雷保護装置１０は、ＡＣコンセント１１と、ＡＣプラグ１２と、モジュラコネクタ１４と、スイッチ（ＳＷ）１５と、モジュラプラグ１６と、信号用プラグ１８を備える。
【０１３４】
［ＨＧＷ装置の構成例］
ＨＧＷ装置２０は、モジュラコネクタ２１と、ＡＣプラグ２２と、ＣＰＵ２４と、アラームランプ２５と、スピーカー２６と、ネットワークアダプタ２７と、信号用コネクタ２８を備える。
【０１３５】
上記のＡＣコンセント１１、ＡＣプラグ１２、モジュラコネクタ１４、スイッチ（ＳＷ）１５、モジュラプラグ１６、モジュラコネクタ２１、ＡＣプラグ２２、ＣＰＵ２４、アラームランプ２５、スピーカー２６、及びネットワークアダプタ２７については、基本的に、第１実施形態（図３に示すもの）と同様である。
【０１３６】
信号用プラグ１８は、信号用コネクタ２８と信号用ケーブルで接続される。
【０１３７】
信号用コネクタ２８は、信号用プラグ１８の接続に応じて電位の状態が変化する検出信号２８１を出力する。
【０１３８】
例えば、通常時にはロウレベル（Ｌｏｗ）にある検出信号２８１が、雷保護装置１０の信号用プラグ１８をＨＧＷ装置２０の信号用コネクタ２８に接続することにより、ハイレベル（Ｈｉｇｈ）に変化したとする。
【０１３９】
ここでは、信号用プラグ１８は、信号用ケーブルを経由して信号用コネクタ２８に、ハイレベル（Ｈｉｇｈ）の検出信号２８１を入力するものとする。
【０１４０】
ＣＰＵ２４は、検出信号２８１の変化を検出して、雷保護装置１０が接続されたか否か判断する。例えば、ＣＰＵ２４は、検出信号２８１の電位がロウレベル（Ｌｏｗ）であれば、雷保護装置１０が接続されていないと判断し、検出信号２８１の電位がハイレベル（Ｈｉｇｈ）であれば、雷保護装置１０が接続されたと判断する。
【０１４１】
無論、ハイレベル（Ｈｉｇｈ）とロウレベル（Ｌｏｗ）は、逆にしても良い。
【０１４２】
なお、信号用プラグ１８は、Ｉ２Ｃ（Ｉｎｔｅｒ−Ｉｎｔｅｇｒａｔｅｄ  Ｃｉｒｃｕｉｔ）、ＳＰＩ（Ｓｅｒｉａｌ  Ｐｅｒｉｐｈｅｒａｌ  Ｉｎｔｅｒｆａｃｅ）、又はＵＡＲＴ（Ｕｎｉｖｅｒｓａｌ  Ａｓｙｎｃｈｒｏｎｏｕｓ  Ｒｅｃｅｉｖｅｒ  Ｔｒａｎｓｍｉｔｔｅｒ）等における通信方式を利用して、信号用コネクタ２８に、検出信号２８１を入力しても良い。なお、図示しないが、この場合には、雷保護装置１０は、ＨＧＷ装置２０が上記の通信方式で接続されたことを検出するための検知用回路と、上記の通信方式をサポートしたＣＰＵ等のプロセッサを備える。
【０１４３】
また、ＣＰＵ２４は、検出信号２８１の電位変化に限らず、信号用プラグ１８から信号用コネクタ２８に検出信号２８１として予め決められたデータが入力された際に、雷保護装置１０が接続されたと判断するようにしても良い。
【０１４４】
［検出信号の補足］
信号用プラグ１８と信号用コネクタ２８との間の信号用ケーブルに割り当てられた検出信号２８１を、モジュラプラグ１６とモジュラコネクタ２１との間の通信回線の空きピンに割り当てることで、信号用プラグ１８と信号用コネクタ２８も削除することが可能となる。
【０１４５】
電話回線を利用する場合、モジュラプラグ１６とモジュラコネクタ２１との間の通信回線として、電話回線のモジュラケーブルが使用されている。通常、電話回線のモジュラケーブルとして、６極２芯のケーブルが使用されている。
【０１４６】
ここで、モジュラプラグ１６とモジュラコネクタ２１との間の通信回線として、６極４芯、又は６極６芯のケーブルを使用して、電話回線で使用しているピン以外の空きピンに、検出信号２８１を割り当てることで、信号用プラグ１８と信号用コネクタ２８の代用として、モジュラプラグ１６及びモジュラコネクタ２１を使用することが可能となる。
【０１４７】
［本実施形態による効果］
本実施形態では、ＣＰＵ２４は、配線状態（３）（４）で問題となっていたＡＣプラグ２２がＡＣコンセント１１以外のＡＣコンセントに接続された場合でも、スイッチ（ＳＷ）１５の状態変化について、ユーザへのアラーム通知（アラームランプ、音声等）や、基地局又はサーバ側への通知が可能となる。
【０１４８】
＜第３実施形態＞
以下に、本発明の第３実施形態について説明する。
【０１４９】
本発明の第２実施形態では、図７に示すように、雷保護装置１０の信号用プラグ１８をＨＧＷ装置２０の信号用コネクタ２８に接続した際に、雷保護装置１０の接続状態を検出しているが、その応用として近距離無線通信方式を利用することも可能である。
【０１５０】
本発明の第３実施形態では、雷保護装置１０の接続状態を突起１７とＨＧＷ装置２０のスイッチ（ＳＷ）２３の代わりに、図８に示すように、雷保護装置１０のＲＦＩＤ（Ｒａｄｉｏ  Ｆｒｅｑｕｅｎｃｙ  Ｉｄｅｎｔｉｆｉｃａｔｉｏｎ）タグ１９をＨＧＷ装置２０のＲＦＩＤリーダ２９に接近／接触した際に、雷保護装置１０の接続状態を検出するようにする。
【０１５１】
［システム構成例］
図８に示すように、本発明の第３実施形態に係る雷保護用接続方式は、雷保護装置１０と、ＨＧＷ装置２０を含む。
【０１５２】
雷保護装置１０は、図８に示すような接続形態で、ＨＧＷ装置２０と接続される。
【０１５３】
［雷保護装置の構成例］
雷保護装置１０は、ＡＣコンセント１１と、ＡＣプラグ１２と、モジュラコネクタ１４と、スイッチ（ＳＷ）１５と、モジュラプラグ１６と、ＲＦＩＤタグ１９を備える。
【０１５４】
［ＨＧＷ装置の構成例］
ＨＧＷ装置２０は、モジュラコネクタ２１と、ＡＣプラグ２２と、ＣＰＵ２４と、アラームランプ２５と、スピーカー２６と、ネットワークアダプタ２７と、ＲＦＩＤリーダ２９を備える。
【０１５５】
上記のＡＣコンセント１１、ＡＣプラグ１２、モジュラコネクタ１４、スイッチ（ＳＷ）１５、モジュラプラグ１６、モジュラコネクタ２１、ＡＣプラグ２２、ＣＰＵ２４、アラームランプ２５、スピーカー２６、及びネットワークアダプタ２７については、基本的に、第１実施形態（図３に示すもの）と同様である。
【０１５６】
ＲＦＩＤタグ１９は、無線ＩＣチップである。接触型／非接触型を問わない。また、パッシブタグ／アクティブタグを問わない。ＲＦＩＤタグ１９は、ＲＦＩＤリーダ２９から近距離無線通信で読み取られる。ＲＦＩＤタグは、様々な用途で用いられており、商品管理用のＲＦＩＤタグ等、別の用途で雷保護装置１０に添付されたＲＦＩＤタグを、本実施形態におけるＲＦＩＤタグ１９として転用することも可能である。
【０１５７】
ＲＦＩＤリーダ２９は、ＲＦＩＤタグ１９の読取装置である。ＲＦＩＤリーダ２９は、ＲＦＩＤタグ１９を読み取った際に電位の状態が変化する検出信号２９１を出力する。
【０１５８】
例えば、通常時にはロウレベル（Ｌｏｗ）にある検出信号２９１が、雷保護装置１０のＲＦＩＤタグ１９をＨＧＷ装置２０のＲＦＩＤリーダ２９に接近／接触することにより、ハイレベル（Ｈｉｇｈ）に変化したとする。
【０１５９】
ここでは、ＲＦＩＤリーダ２９は、近距離無線通信でＲＦＩＤタグ１９を読み取った際に検出信号２９１を出力するものとする。
【０１６０】
ＣＰＵ２４は、検出信号２９１の変化を検出して、雷保護装置１０が接続されたか否か判断する。例えば、ＣＰＵ２４は、検出信号２９１の電位がロウレベル（Ｌｏｗ）であれば、雷保護装置１０が接続されていないと判断し、検出信号２９１の電位がハイレベル（Ｈｉｇｈ）であれば、雷保護装置１０が接続されたと判断する。
【０１６１】
無論、ハイレベル（Ｈｉｇｈ）とロウレベル（Ｌｏｗ）は、逆にしても良い。
【０１６２】
［近距離無線通信の補足］
なお、ＲＦＩＤは一例に過ぎない。実際には、ＩｒＤＡ（Ｉｎｆｒａｒｅｄ  Ｄａｔａ  Ａｓｓｏｃｉａｔｉｏｎ）、Ｂｌｕｅｔｏｏｔｈ（登録商標）、ＦｅｌｉＣａ（登録商標）、ＩＳＯ／ＩＥＣ  １４４４３（ＭＩＦＡＲＥ（登録商標））、ＩＳＯ／ＩＥＣ  １８０９２（ＮＦＣ：Ｎｅａｒ  Ｆｉｅｌｄ  Ｃｏｍｍｕｎｉｃａｔｉｏｎ）等、他の近距離無線通信の方式を利用しても良い。
【０１６３】
＜第４実施形態＞
以下に、本発明の第４実施形態について説明する。
【０１６４】
本発明の第１実施形態では、図５、及び図６に示すように、雷保護装置１０のＡＣコンセント１１にＨＧＷ装置２０のＡＣプラグ２２が正しく接続された場合に、ＡＣプラグ２２がＡＣコンセント１１のスライドカバー１１１をスライドし、スライドカバー１１１と連動して突起１１２もスライドし、スイッチ（ＳＷ）１５を押し込んで、スイッチ（ＳＷ）１５をオン（ＯＮ）の状態にしている。これと同様に、ＨＧＷ装置２０のモジュラコネクタ２１にスライドカバーを設けて、スイッチ（ＳＷ）２３をオン（ＯＮ）の状態にする構成にすることも可能である。
【０１６５】
本発明の第４実施形態では、図９、及び図１０に示すように、ＨＧＷ装置２０のモジュラコネクタ２１に雷保護装置１０のモジュラプラグ１６が正しく接続された場合に、モジュラプラグ１６がモジュラコネクタ２１のスライドカバー２１１をスライドし、スライドカバー２１１と連動して突起２１２もスライドし、スイッチ（ＳＷ）２３を押し込んで、スイッチ（ＳＷ）２３をオン（ＯＮ）の状態にする。
【０１６６】
この場合、雷保護装置１０の突起１７は不要である。言い換えれば、突起２１２が、雷保護装置１０の突起１７に相当する。
【０１６７】
［スイッチ（ＳＷ）２３のオン（ＯＮ）／オフ（ＯＦＦ）の切り替え］
雷保護装置とＨＧＷ装置との間の通信回線が正しく接続されていない場合には、検出信号の信号回線をオープン（開放）の状態とし、雷保護装置とＨＧＷ装置との間の通信回線が正しく接続された場合には、検出信号の信号回線をショート（短絡）の状態にする状況について説明する。
【０１６８】
ここでは、図９、及び図１０を用いて、モジュラコネクタ２１とスイッチ（ＳＷ）２３との関係について説明する。
【０１６９】
［スイッチ（ＳＷ）２３がオフ（ＯＦＦ）の状態］
図９に、モジュラコネクタ２１にモジュラプラグ１６が挿されていない通常の状態を示す。
【０１７０】
図９の上段に示した図がモジュラコネクタ２１の外観のイメージ図であり、図９の下段に示した図がモジュラコネクタ２１の断面のイメージ図である。
【０１７１】
通常時には、モジュラコネクタ２１は、スライドカバー２１１の下に隠れた状態となる。スライドカバー２１１は、モジュラコネクタ２１のアナログポートを覆うカバー（コネクタカバー）である。
【０１７２】
スライドカバー２１１には、スイッチ（ＳＷ）２３を押し込み（押下し）、スイッチ（ＳＷ）２３をオン（ＯＮ）の状態にするための突起２１２が設けられている。通常時には、突起２１２はスイッチ（ＳＷ）２３に届いていないため、スイッチ（ＳＷ）２３はオフ（ＯＦＦ）の状態である。
【０１７３】
［スイッチ（ＳＷ）２３がオン（ＯＮ）の状態］
図１０に、モジュラコネクタ２１にモジュラプラグ１６が挿入されたときの状態を示す。
【０１７４】
図１０も、図９と同様に、図１０の上段に示した図がモジュラコネクタ２１の外観のイメージ図であり、図１０の下段に示した図がモジュラコネクタ２１の断面のイメージ図である。
【０１７５】
まず、モジュラプラグ１６を挿入するために、スライドカバー２１１に開けられたアナログポート用の穴に、モジュラプラグ１６を軽く差し込む。具体的には、モジュラプラグ１６を、アナログポート用の穴の深さを超えない程度（雷保護装置１０の本体に接触しない程度）に差し込む。
【０１７６】
スライドカバー２１１に開けられたアナログポート用の穴に、モジュラプラグ１６を軽く差し込んだ状態のまま、モジュラプラグ１６とスライドカバー２１１をスライドさせると、モジュラコネクタ２１のアナログポート用の穴とモジュラコネクタ２１のアナログポートとの位置が一致するため、モジュラコネクタ２１にモジュラプラグ１６を挿すことができるようになる。
【０１７７】
このとき、スライドカバー２１１と連動して突起２１２もスライドし、スイッチ（ＳＷ）２３を押し込むため、スイッチ（ＳＷ）２３はオン（ＯＮ）の状態となる。
【０１７８】
このように、スライドカバー２１１と連動してスイッチ（ＳＷ）２３をオン（ＯＮ）／オフ（ＯＦＦ）の状態にする機能で構成することにより、モジュラコネクタ２１にＡＣプラグが接続されていない状態では、通信回線はオープン（開放）の状態となる。
【０１７９】
なお、実際には、スライドカバー２１１を手動でスライドさせてスイッチ（ＳＷ）２３をオン（ＯＮ）の状態にし、スライドカバー２１１に開けられたアナログポート用の穴とモジュラコネクタ２１のアナログポートとの位置が一致した段階で、スライドカバー２１１に開けられたアナログポート用の穴に、モジュラプラグ１６を深く差し込んで、モジュラコネクタ２１のアナログポートにモジュラプラグ１６を挿入し、モジュラプラグ１６によりスライドカバー２１１の位置を固定するようにしても良い。
【０１８０】
［スライドカバーの補足］
必須ではないが、スライドカバー２１１に開けられたアナログポート用の穴から、モジュラプラグ１６を抜いた場合、バネ等の弾性部材や小型モータ等の動力機構により、スライドカバー２１１が自動的にスライドし、元の位置（図９に示す状態）に戻るようにしても良い。
【０１８１】
また、図９、図１０では、スライドカバー２１１のスライドによってスイッチ（ＳＷ）２３を押し込む仕組みについて説明したが、実際には、スライドに限らず、スライドカバー２１１の移動／動作によってスイッチ（ＳＷ）２３をオン（ＯＮ）／オフ（ＯＦＦ）の状態にする構造であれば、どのような仕組みを使用しても良い。
【０１８２】
例えば、スライドカバー２１１を回転させることで、モジュラプラグ１６が挿入できるようなると同時にスイッチ（ＳＷ）２３をオン（ＯＮ）の状態にする方式や、スライドカバー２１１を取り外すことで、スイッチ（ＳＷ）２３をオン（ＯＮ）の状態にする方式、スライドカバー２１１が変形することで、スイッチ（ＳＷ）２３をオン（ＯＮ）の状態にする方式等も考えられる。
【０１８３】
更に、スイッチ（ＳＷ）２３は、通信回線がオープン（開放）／ショート（短絡）の状態となる機能であれば、押し込みタイプのスイッチでなくても良い。
【０１８４】
例えば、スイッチ（ＳＷ）２３は、スライドカバー２１１のスライドによって導体が接触するようなタイプのスイッチでも良い。
【０１８５】
また、スイッチ（ＳＷ）２３は、機械スイッチだけではなく、アナログスイッチＩＣを制御するような論理回路でも良い。
【０１８６】
また、スイッチ（ＳＷ）２３は、スライドカバー２１１の移動／動作を検出した際にオン（ＯＮ）の状態となるようなタイプのスイッチでも良い。例えば、スイッチ（ＳＷ）２３は、スライドカバー２１１の移動／動作を検出するセンサ等から、スライドカバー２１１の移動／動作を示す信号を受信した際に、オン（ＯＮ）の状態となるようなタイプのスイッチでも良い。
【０１８７】
＜第５実施形態＞
以下に、本発明の第５実施形態について説明する。
【０１８８】
本発明の第５実施形態では、図３に示すように、雷保護装置１０の突起１７がＨＧＷ装置２０のスイッチ（ＳＷ）２３をオン（ＯＮ）の状態にすることで、スイッチ（ＳＷ）２３が検出信号２３１をＣＰＵ２４に通知しているが、検出信号２３１の代わりに、受電する（電力を受ける）ように構成することも可能である。
【０１８９】
本発明の第５実施形態では、図１１に示すように、ＨＧＷ装置２０のスイッチ（ＳＷ）２３をＡＣプラグ２２と接続し、雷保護装置１０の突起１７がＨＧＷ装置２０のスイッチ（ＳＷ）２３をオン（ＯＮ）の状態にした際に、スイッチ（ＳＷ）２３が、ＡＣプラグ２２とＣＰＵ２４とを接続し、ＣＰＵ２４に電力を供給するようにする。
【０１９０】
［システム構成例］
図１１に示すように、本発明の第５実施形態に係る雷保護用接続方式は、雷保護装置１０と、ＨＧＷ装置２０を含む。
【０１９１】
雷保護装置１０は、図３に示すような接続形態で、ＨＧＷ装置２０と接続される。
【０１９２】
［雷保護装置の構成例］
雷保護装置１０は、ＡＣコンセント１１と、ＡＣプラグ１２と、モジュラコネクタ１４と、スイッチ（ＳＷ）１５と、モジュラプラグ１６と、突起１７を備える。
【０１９３】
［ＨＧＷ装置の構成例］
ＨＧＷ装置２０は、モジュラコネクタ２１と、ＡＣプラグ２２と、スイッチ（ＳＷ）２３と、ＣＰＵ２４と、アラームランプ２５と、スピーカー２６と、ネットワークアダプタ２７を備える。
【０１９４】
上記のＡＣコンセント１１、ＡＣプラグ１２、モジュラコネクタ１４、スイッチ（ＳＷ）１５、モジュラプラグ１６、突起１７、モジュラコネクタ２１、ＣＰＵ２４、アラームランプ２５、スピーカー２６、及びネットワークアダプタ２７については、基本的に、第５実施形態（図３に示すもの）と同様である。
【０１９５】
ＡＣプラグ２２は、スイッチ（ＳＷ）２３と接続されている。
【０１９６】
スイッチ（ＳＷ）２３は、スイッチ（ＳＷ）２３は、雷保護装置１０が接続された場合に突起１７によりオン（ＯＮ）の状態になる。ここでは、スイッチ（ＳＷ）２３は、突起１７によりオン（ＯＮ）の状態になった際に、ＡＣプラグ２２とＣＰＵ２４とを接続し、ＣＰＵ２４に電力を供給するようにする。
【０１９７】
なお、一般的にＡＣプラグ２２と共に配置されるＡＣ−ＤＣ変換回路は、ＡＣプラグ２２とＣＰＵ２４との間に配置されていても良い。例えば、ＡＣ−ＤＣ変換回路は、ＡＣプラグ２２とスイッチ（ＳＷ）２３の間や、スイッチ（ＳＷ）２３とＣＰＵ２４との間に配置されていても良い。或いは、ＡＣ−ＤＣ変換回路は、スイッチ（ＳＷ）２３を含んでいても良い。
【０１９８】
本実施形態では、ＣＰＵ２４は、雷保護装置１０が接続されておらず、スイッチ（ＳＷ）２３がオフ（ＯＦＦ）の状態である場合、受電する（電力を受ける）ことができないため、アラームランプ２５の点灯、点滅や、スピーカー２６による音声ガイダンス、ビープ音等により、ユーザに雷保護装置１０が接続されていない旨の警告を通知することはできない。
【０１９９】
しかし、ＨＧＷ装置２０に電源が供給されず動作（起動）しないため、ユーザは接続に問題があると気が付くことができる。すなわち、ＣＰＵ２４は、ＨＧＷ装置２０が起動しないという状態により、ユーザに雷保護装置１０が接続されていない旨の警告を通知しているといえる。
【０２００】
［突起及びスイッチ（ＳＷ）の補足］
必須ではないが、雷保護装置１０の突起１７がＡＣコンセント１１の役割を兼ね、ＨＧＷ装置２０のスイッチ（ＳＷ）２３がＡＣプラグ２２の役割を兼ねていても良い。この場合、ＡＣコンセント１１及びＡＣプラグ２２は不要となる。
【０２０１】
＜各実施形態の関係＞
なお、上記の各実施形態は、組み合わせて実施することも可能である。例えば、雷保護装置１０及びＨＧＷ装置２０が、それぞれ、上記の各実施形態のいずれにも対応できるように、全ての実施形態が実施可能な内部構成となっていても良い。
【０２０２】
ここで、第１実施形態及び第５実施形態における突起１７、第２実施形態における信号用プラグ１８、第３実施形態におけるＲＦＩＤタグ１９、第４実施形態におけるスライドカバー２１１及び突起２１２を、「正式接続付随事象発生部」と呼称する。すなわち、正式接続付随事象発生部は、第１実施形態及び第５実施形態における突起１７、第２実施形態における信号用プラグ１８、第３実施形態におけるＲＦＩＤタグ１９、第４実施形態におけるスライドカバー２１１及び突起２１２の総称である。正式接続付随事象発生部は、ＨＧＷ装置２０のＡＣプラグ２２が雷保護装置１０のＡＣコンセント１１に正しく接続された際、正しい接続に付随（付帯、連動、関連）して所定の事象の発生（物理的な突起挿入、信号出力、ＩＣタグ提示、カバースライド、給電等）を行い、正しく接続された旨をＨＧＷ装置２０側に認識させるための部位である。
【０２０３】
また、第１実施形態、第４実施形態、及び第５実施形態におけるスイッチ（ＳＷ）２３、第２実施形態における信号用コネクタ２８、第３実施形態におけるＲＦＩＤリーダ２９を、「正式接続検出部」と呼称する。すなわち、正式接続検出部は、第１実施形態、第４実施形態、及び第５実施形態におけるスイッチ（ＳＷ）２３、第２実施形態における信号用コネクタ２８、第３実施形態におけるＲＦＩＤリーダ２９の総称である。正式接続検出部は、正式接続付随事象発生部による事象の発生を検出して、ＨＧＷ装置２０のＡＣプラグ２２が雷保護装置１０のＡＣコンセント１１に正しく接続されているか認識するための部位である。
【０２０４】
更に、上記の各実施形態における雷保護装置１０及びＨＧＷ装置２０の動作は、ファームウェア（Ｆｉｒｍｗａｒｅ）等によるソフトウェア制御で実現しても良い。
【０２０５】
＜本発明の特徴＞
以上のように、本発明では、雷保護装置を、ＶｏＩＰ電話等に対応したＨＧＷ装置（ホームゲートウェイ装置）に接続させて使用する場合に、接続が適切に行なわれていないときには電話の機能を使用できなくすること、若しくは光、音等によってユーザへ通知を行うことで接続の見直しを促すことで、適切な接続を可能とすることを特徴とする。
【０２０６】
また、その接続情報を基地局側にも通知することも特徴の１つに挙げられる。
【０２０７】
本発明では、ＨＧＷ装置に、雷保護装置が正しく接続されたか否かを検出できるような機能を持たせ、正しく接続されていない場合には、光や音等によるアラーム通知によりユーザに接続の不備を気付かせる。
【０２０８】
更に、正しく接続されていない場合には、通信回線をオープン（開放）の状態にして、多機能通信端末による通信をできなくさせる。
【０２０９】
本発明では、ＨＧＷ装置が、雷保護装置が接続されているか否かの確認手段を持っている。
【０２１０】
本発明では、ＨＧＷ装置が、雷保護装置と間違った接続をした場合には、ユーザに通知する手段を持っている。
【０２１１】
本発明では、ＨＧＷ装置が、雷保護装置と間違った接続をした場合には、管理者（基地局）に通知する手段を持っている。
【０２１２】
本発明では、雷保護装置が、ＨＧＷ装置と間違った接続をした場合には、ＨＧＷ装置用の通信回線での通信を制限し、不通状態にする手段を持っている。
【０２１３】
本発明では、雷保護装置が、ＡＣコンセントのカバーとスイッチが連動して、ＨＧＷ装置用の通信回線の不通状態を解除する手段を持っている。
【０２１４】
＜付記＞
上記の実施形態の一部又は全部は、以下の付記のように記載することも可能である。但し、実際には、以下の記載例に限定されない。
【０２１５】
（付記１）
電力線と通信回線との間に印加されるサージをＳＰＤ（Ｓｕｒｇｅ  Ｐｒｏｔｅｃｔ  Ｄｅｖｉｃｅ：サージ保護素子）でバイパスさせる雷保護装置と、
前記雷保護装置を経由して受電（電力を受けること）及び通信を行うＨＧＷ装置（ホームゲートウェイ装置）と
を含み、
前記雷保護装置は、前記雷保護装置に前記ＨＧＷ装置の電力線が接続されていない場合、前記ＨＧＷ装置の通信回線を不通状態にしておき、前記雷保護装置に前記ＨＧＷ装置の電力線が接続された際に、前記ＨＧＷ装置の通信回線の不通状態を解除し、
前記ＨＧＷ装置は、前記ＨＧＷ装置の通信回線が前記雷保護装置と接続された際に、別途（当該接続とは別に／当該接続に付随して）、前記雷保護装置の筐体の接近／接触を検出し、前記雷保護装置の筐体の接近／接触を検出していない場合、接続の見直しを促すための処理（警告の通知、受電制限による起動しない状態の継続等）を行う
雷保護用接続方式（雷保護用接続システム）。
【０２１６】
（付記２）
付記１に記載の雷保護用接続方式であって、
前記雷保護装置は、
前記雷保護装置内の通信回線と前記ＨＧＷ装置とを接続するためのモジュラプラグと、
前記雷保護装置内の通信回線に設けられ、前記雷保護装置のＡＣコンセントに前記ＨＧＷ装置のＡＣプラグが接続されていない場合、オフの状態であり、前記雷保護装置内の通信回線を不通状態にするスイッチと、
前記雷保護装置のＡＣコンセントを覆うカバーであり、前記雷保護装置のＡＣコンセントに前記ＨＧＷ装置のＡＣプラグが接続された際に移動することで前記スイッチをオンの状態にして、前記雷保護装置内の通信回線の不通状態を解除するコンセントカバーと
を具備する
雷保護用接続方式。
【０２１７】
（付記３）
付記１又は２に記載の雷保護用接続方式であって、
前記雷保護装置は、
前記ＨＧＷ装置のＡＣプラグが前記雷保護装置のＡＣコンセントに正しく接続された際、正しく接続された旨を前記ＨＧＷ装置側に認識させるために、正しい接続に付随（付帯、連動、関連）して所定の事象の発生（物理的な突起挿入、信号出力、ＩＣタグ提示、カバースライド、給電等）を行う正式接続付随事象発生部
を具備し、
前記ＨＧＷ装置は、
前記所定の事象の発生を検出して、前記ＨＧＷ装置のＡＣプラグが前記雷保護装置のＡＣコンセントに正しく接続されているか認識するための正式接続検出部
を具備する
雷保護用接続方式。
【０２１８】
＜備考＞
以上、本発明の実施形態を詳述してきたが、実際には、上記の実施形態に限られるものではなく、本発明の要旨を逸脱しない範囲の変更があっても本発明に含まれる。
【符号の説明】
【０２１９】
１０…  雷保護装置
１１…  ＡＣコンセント
１２…  ＡＣプラグ
１３…  モジュラコネクタ
１４…  モジュラコネクタ
１５…  スイッチ（ＳＷ）
１６…  モジュラプラグ
１７…  突起
１８…  信号用プラグ
１９…  ＲＦＩＤ（Ｒａｄｉｏ  Ｆｒｅｑｕｅｎｃｙ  Ｉｄｅｎｔｉｆｉｃａｔｉｏｎ）タグ
２０…  ＨＧＷ装置（ホームゲートウェイ装置）
２１…  モジュラコネクタ
２２…  ＡＣプラグ
２３…  スイッチ（ＳＷ）
２３１…  検出信号
２４…  ＣＰＵ（Ｃｅｎｔｒａｌ  Ｐｒｏｃｅｓｓｉｎｇ  Ｕｎｉｔ）
２５…  アラームランプ
２６…  スピーカー
２７…  ネットワークアダプタ
２８…  信号用コネクタ
２８１…  検出信号
２９…  ＲＦＩＤリーダ
２９１…  検出信号
３０…  ＡＣコンセント
４０…  電話機
４１…  ＡＣプラグ
５０…  ＡＣコンセント
【図１】
0005692806.tif 000002
【図２】
0005692806.tif 000003
【図３】
0005692806.tif 000004
【図４】
0005692806.tif 000005
【図５】
0005692806.tif 000006
【図６】
0005692806.tif 000007
【図７】
0005692806.tif 000008
【図８】
0005692806.tif 000009
【図９】
0005692806.tif 000010
【図１０】
0005692806.tif 000011
【図１１】
0005692806.tif 000012